(57)【要約】      （修正有）【課題】汗による汗ジミを可及的に視認しにくくすることができる衣服を提供する。【解決手段】首部が通過する襟ぐり部と、腕部が通過する脇ぐり部とを有する衣服１であり、衣服には、編地Ｆによって構成されるとともに脇ぐり部の内側に突出して装着者の脇の下に挟まれる汗ジミ防止パッド４が設けられている。汗ジミ防止パッド４を構成する編地Ｆは、疎水性繊維からなる糸によって構成された疎水層Ｆａと、吸湿性繊維からなる糸によって構成された吸水層Ｆｂとからなる２層構造を有するとともに、疎水層の編組織をメッシュ状とする。また、少なくとも疎水層には吸水加工が施されている。さらに汗ジミ防止パッドは、疎水層Ｆａが外部に露出し、吸水層Ｆｂが内側に位置するように重ねられ、装着者の脇の下で汗ジミ防止パッドが挟まれると、露出した疎水層が肌に接触するようになっている。【選択図】図３
0003207935.tif 000002
【実用新案登録請求の範囲】
【請求項１】
首部が通過する襟ぐり部と、腕部が通過する脇ぐり部とを有する衣服であって、編地によって構成されるとともに上記脇ぐり部の内側に突出し、装着者の脇の下によって挟まれる汗ジミ防止パッドを備えた衣服において、
上記汗ジミ防止パッドを構成する編地は、疎水性繊維からなる糸によって構成された疎水層と、吸湿性繊維からなる糸によって構成された吸水層とから構成された２層構造を有するとともに、上記疎水層の編組織をメッシュ状とし、
上記汗ジミ防止パッドは、上記疎水層が外部に露出し、上記吸水層が内側に位置するように重ねられた複数枚の上記編地によって構成され、
装着者の脇の下で汗ジミ防止パッドが挟まれると、露出した上記疎水層が肌に接触するようにしたことを特徴とする衣服。
【請求項２】
上記汗ジミ防止パッドは一枚の上記編地を折り畳んで上記疎水層が外部に露出するようにしたものであり、
当該編地の折り曲げ部が、上記汗ジミ防止パッドにおける上記脇ぐり部の内側に位置する上辺部を構成することを特徴とする請求項１に記載の衣服。
【請求項３】
上記汗ジミ防止パッドを構成する編地の少なくとも疎水層に吸水加工が施されたことを特徴とする請求項１または請求項２のいずれかに記載の衣服。
【請求項４】
上記汗ジミ防止パッドにおける上記脇ぐり部の内側に位置した上辺部が、上記脇ぐり部における前方から後方に向けて下方に傾斜することを特徴とする請求項１ないし請求項３のいずれかに記載の衣服。
【請求項５】
上記汗ジミ防止パッドは上記衣服を構成する前身頃部および後見頃部と別体に構成され、
上記汗ジミ防止パッドの一部は、上記前身頃部および後見頃部に重複する重複部を有し、当該重複部は前身頃部および後見頃部よりも肌側に位置することを特徴とする請求項１ないし請求項４のいずれかに記載の衣服。
【請求項６】
上記汗ジミ防止パッドを構成する編地の編方向が、上記衣服を構成する前身頃部および後見頃部を構成する編地の編方向と同じか、もしくは４５度までの範囲で傾斜していることを特徴とする請求項１ないし請求項５のいずれかに記載の衣服。
【考案の詳細な説明】
【技術分野】
【０００１】
本考案は衣服に関し、詳しくは、脇ぐり部に、装着者の脇の下で挟まれる汗ジミ防止パッドを備えた衣服に関する。
【背景技術】
【０００２】
従来、脇の下で発生した汗が衣服の脇の下部分に付着し、これがべとつきとなって装着者に不快感を与えるということが問題とされており、このため例えば衣服の脇ぐり部に紙製の汗取りパッドを接着し、当該汗取りパッドによって汗を吸収することが行われている。
しかしながら、このような後付の汗取りパッドは、適度な汗の吸収量を確保するために厚さがあることから見栄えが悪く、また接着することにより衣服の動きへの追従性が低いという問題があった。
このような問題に対し、編地によって構成されるとともに上記脇ぐり部の内側に突出し、装着者の脇の下によって挟まれる汗取りパッドを設けた衣服が知られている（特許文献１）。
【先行技術文献】
【特許文献】
【０００３】
【特許文献１】特開２０１５−０８６４９９号公報
【考案の概要】
【考案が解決しようとする課題】
【０００４】
ここで、脇の下で発生した汗が衣服の脇ぐり部に付着して濡れると、当該衣服の外部に露出した部分では当該濡れた部分がシミとなって視認され、近年ではこのような脇の下の汗ジミに対しても対策する必要が生じてきた。
しかしながら、上記特許文献１においては、上記汗取りパッドによって汗を吸収することができるものの、上述したような汗ジミの視認性については考慮されておらず、用いる編地によっては吸収した汗がはっきりとシミとして視認されてしまう恐れがあった。
このような問題に鑑み、本考案は汗ジミを可及的に視認しにくくすることが可能で、かつ着用感に優れた汗ジミ防止パッドを備えた衣服を提供するものである。
【課題を解決するための手段】
【０００５】
つまり請求項１の考案にかかる衣服は、首部が通過する襟ぐり部と、腕部が通過する脇ぐり部とを有する衣服であって、編地によって構成されるとともに上記脇ぐり部の内側に突出し、装着者の脇の下によって挟まれる汗ジミ防止パッドを備えた衣服において、
上記汗ジミ防止パッドを構成する編地は、疎水性繊維からなる糸によって構成された疎水層と、吸湿性繊維からなる糸によって構成された吸水層とから構成された２層構造を有するとともに、上記疎水層の編組織をメッシュ状とし、  上記汗ジミ防止パッドは、上記疎水層が外部に露出し、上記吸水層が内側に位置するように重ねられた複数枚の上記編地によって構成され、
装着者の脇の下で汗ジミ防止パッドが挟まれると、露出した上記疎水層が肌に接触するようにしたことを特徴としている。
【考案の効果】
【０００６】
上記考案における汗ジミ防止パッドは、上記疎水層が外側に、上記吸水層が内側になるように重ねられた複数枚の編地によって構成されていることから、装着者の脇の下で汗ジミ防止パッドを挟むと、露出した上記疎水層が肌に接触して、脇の下で発生した汗を上記疎水層によって吸収することができる。
吸収された汗はその後速やかに吸水層へと移動するため、汗は疎水層に残留せず、しかも上記疎水層はメッシュ状であることから、当該汗ジミ防止パッドのうち外部に露出した部分において、濡れた部分が外部からシミとして視認しにくくすることができる。
【図面の簡単な説明】
【０００７】
【図１】第１実施例にかかる衣服の正面図
【図２】第１実施例にかかる衣服の脇ぐり部の拡大図
【図３】装着者と衣服との位置関係を示す図
【図４】第２実施例にかかる衣服の正面図
【図５】第３実施例にかかる衣服の正面図
【図６】第３実施例における装着者と衣服との位置関係を示す図
【考案を実施するための形態】
【０００８】
以下図示実施例について説明すると、図１はいわゆるノースリーブと呼ばれる衣服１の上部の正面図を示しており、また図２は上記衣服１の側面図であって腕部が通過する脇ぐり部１Ｂの拡大図を示している。
上記衣服１は、上部に形成されて装着者の首部が通過する襟ぐり部１Ａと、両側部に形成されて装着者の腕部が通過する上記脇ぐり部１Ｂとを有し、また本実施例の衣服１は装着者の前方側に位置する前身頃部２と、後方側に位置する後身頃部３と、上記脇ぐり部１Ｂに設けられた汗ジミ防止パッド４とから構成されている。
上記襟ぐり部１Ａおよび脇ぐり部１Ｂには、開口部を囲繞するようにマイクロテープ縫着部５が形成され、また図２に示すように衣服１の側部において前身頃部２と後身頃部３とが縫い合わされている。
【０００９】
上記前身頃部２および後身頃部３には同じ編地Ｆが用いられており、図３に示すように疎水性繊維からなる糸によって構成された疎水層Ｆａと、吸湿性繊維からなる糸によって構成された吸水層Ｆｂとからなる２層構造を有している。
上記前身頃部２および後身頃部３はそれぞれ１枚の編地Ｆによって構成され、図３に示すように上記疎水層Ｆａが着用者の肌側に位置し、上記吸水層Ｆｂが外側に位置するようになっている。
【００１０】
上記疎水層Ｆａを構成する疎水性繊維からなる糸としては、ポリエステルの他、ナイロン、アクリル、ポリプロピレン等も使用可能であり、これらを混合して用いることもできる。また、糸の構成としては紡績糸の他にフィラメント糸を採用することも可能である。
糸の番手は衣料品に一般的に使用される３０番手〜１２０番手いずれの太さでもよく、好ましくは４０番手〜１００番手、さらに好ましくは４０番手から８０番手が良い。また、フィラメント糸を使用する場合は１５０ｄ（デニール）〜３０ｄ（デニール）、好ましくは１００〜４０ｄ、さらに好ましくは６０ｄ〜４０ｄの太さのものを用いるのが良い。
また疎水層Ｆａの編組織としてはメッシュ状のものを採用しており、その他にもメリヤス編、天竺編、フライス編、リブ編、ゴム編、鹿の子編、経編などの従来公知の編組織を採用することができる。但し、汗ジミ防止パッド４に同じ編地Ｆを採用する場合にはメッシュ状の編組織を採用する必要がある。
【００１１】
上記吸水層Ｆｂを構成する吸湿性繊維からなる糸としては、綿の他、レーヨン、キュプラ、麻、絹、ウール等を用いることができ、これらを混合して用いることもできる。また、糸の構成としては紡績糸とすることが好ましい。
また、使用する糸の番手は衣料品に一般的に使用される３０番手〜１２０番手いずれの太さでもよく、好ましくは４０番手〜１００番手、さらに好ましくは４０番手から８０番手が良い。また単糸だけでなく双糸、三子糸等の糸を適宜使用しても良い。
また吸水層Ｆｂの編組織については、メリヤス編、天竺編、フライス編、リブ編、ゴム編、鹿の子編、経編などの従来公知の編組織を採用することができる。
【００１２】
さらに、上記編地Ｆには吸水加工が行われており、具体的には少なくとも上記疎水層Ｆｂについては当該吸水加工が行われている。上記吸水加工としては、ノニオン系ポリエステル樹脂（ＤＣＯＭ３５−６：高松油脂）、アニオン系ポリエステル樹脂（ＳＲ-１０００、ＳＲ-６２００：高松油脂）、メイカフィニッシュ（明成化学）など公知の吸水加工剤を適宜選択して使用することができる。
また上記編地Ｆには必要に応じて染色加工を施すことができ、使用する繊維の種類に合わせて反応染料、酸性染料、分散染料、建染染料等、適宜染料や染色方法を選択して実施することができ、さらなる付帯加工としては、要求される性能に応じて抗菌防臭加工、消臭加工、紫外線吸収加工、ビタミン加工、保湿加工等を適宜組み合わせて施すことができる。
【００１３】
このような疎水層Ｆａおよび吸水層Ｆｂを備えた編地Ｆによって構成された衣服１によれば、上記吸水加工が施された疎水層Ｆａが肌側に位置することで、当該疎水層Ｆａに付着した汗などの水分を拡散しつつ、速やかに吸水層Ｆｂへと移動させることができる。
特に、疎水層Ｆａについては編組織をメッシュ状とすることで、凹凸のある目の粗い構成が得られることから、肌への接触面積を小さくして汗の付着によるべたつきを軽減することができる。
また上記疎水層Ｆａを外側に位置させることで、上記疎水層Ｆａに付着した水分を速やかに上記吸水層Ｆｂへと吸収させ、これにより疎水層Ｆａにおける汗の付着によるべたつきを軽減することが可能となっている。
また上記前身頃部２および後身頃部３を構成する編地Ｆの編方向による伸縮は、図１においては図示左右方向、図２においては図示前後方向、すなわち胴回り方向への伸縮量が、身長方向への伸縮量よりも大きくなるようになっている。
【００１４】
次に、上記汗ジミ防止パッド４について説明すると、当該汗ジミ防止パッド４は上記前身頃部２および後身頃部３とは別体に設けられており、後述するように上記前身頃部２および後身頃部３に縫い合わされている。
上記汗ジミ防止パッド４は略楕円形状の一部を切り欠いた形状を有しており、その上端に位置する上辺部４ａの形成されたハッチングで示す部分が上記脇ぐり部１Ｂの内側に位置した汗取り部４ｂを形成している。
また汗ジミ防止パッド４における上記汗取り部４ｂ以外の部分は、上記前身頃部２および後身頃部３に重複する重複部４ｃとなっており、当該重複部４ｃは汗ジミ防止パッド４の略円弧状の外周縁部および、上記脇ぐり部１Ｂに形成された折り返し部５との重複部分で縫い合わされている。
このような構成により、本実施例の衣服１を着用すると、図３に示すように脇ぐり部１Ｂを通過した装着者の脇の下に汗ジミ防止パッド４が位置することとなり、腕を下ろすことで上記汗取り部４ｂが胴部と腕部とによって挟まれるようになっている。その際、重複部４ｃは胴部に接触するようになっている。
また図２に示すように、汗ジミ防止パッド４の上辺部４ａは、前方から後方に向けて下降するように傾斜しており、具体的には前身頃部２および後身頃部３を構成する編組織の伸縮方向（図示水平方向）に対して３０度で傾斜するようになっている。ただし、製品の形態により４５度以下で傾斜させるのであれば問題はない。
このような傾斜を設けることで、装着者の腕の動きを妨げずに、効果的に脇の下の汗が吸収できるよう、汗取り部４ｂを位置させることが可能となっている。
【００１５】
そして本実施例の汗ジミ防止パッド４には、疎水性繊維からなる糸によって構成された疎水層Ｆａと、吸湿性繊維からなる糸によって構成された吸水層Ｆｂとからなる２層構造を有した編地Ｆによって構成され、かつ少なくとも上記疎水層Ｆａには吸水加工が施されたものとなっており、さらに上記疎水層Ｆａの編組織はメッシュ状となっている。
本実施例では、汗ジミ防止パッド４に用いる編地Ｆとして上記前身頃部２および後身頃部３に用いたのと同じ編地Ｆを使用することができ、その場合汗ジミ防止パッド４のために別途編地Ｆを用意する場合に比べて安価に衣服１を生産することが可能となっている。
また上記汗ジミ防止パッド４は、図２において破線および一点鎖線で示すような上記上辺部４ａを中心に線対称の形状を有した略楕円形の一枚の編地Ｆによって構成されており、当該編地Ｆを上記上辺部４ａの位置で折り畳むことで、図３に示すような複数枚の編地Ｆが積層された構造が得られるようになっている。
このとき、上記編地Ｆにおける上記疎水層Ｆａが外側となるように折り曲げられ、これにより汗ジミ防止パッド４の外側には上記吸水加工の施された疎水層Ｆａが露出し、内側では上記吸水層Ｆｂ同士が接触するようになっている。
また汗ジミ防止パッド４を構成する編地Ｆの編組織は、上記上辺部４ａと同じ向きの伸縮量が、当該上辺部４ａに直交する方向における伸縮量よりも大きくなっている。従って、上記編地Ｆを上辺部４ａの位置で折り畳んだ結果、肌側に位置する編地Ｆと外側に位置する編地Ｆとは、その伸縮方向が一致するようになっている。
さらに、図２に示すように、上記汗ジミ防止パッド４の上辺部４ａは上記前身頃部２および後身頃部３を構成する編組織の伸縮方向（図示水平方向）に対して３０度程度で傾斜しているため、脇部分に密着しやすく、上記汗ジミ防止パッド４を構成する編地Ｆは上記前身頃部２および後身頃部３と略同じ方向に伸縮するようになっていることから、編地Ｆの伸縮方向の違いによる脇ぐり部１Ｂ近傍の衣服１の伸縮を妨げないようになっている。
【００１６】
上記構成を有する衣服１によれば、脇の下で発生した汗を上記汗ジミ防止パッド４によって吸収することができ、かつ当該汗による汗ジミを外部から視認しにくくすることができる。
つまり、図３に示すように上記汗ジミ防止パッド４における汗取り部４ｂは疎水層Ｆａを装着者の胴部および腕部の両方に向けて露出させており、この状態で脇の下に挟まれることで、装着者の胴部および腕部で発生した汗は、いずれも疎水層Ｆａに付着することとなる。
上記疎水層Ｆａには吸水加工が施されていることから、疎水層Ｆａに付着した汗は当該疎水層Ｆａに吸収されると、その後速やかに吸水層Ｆｂに移動するため、疎水層Ｆａの表面から汗が速やかに除去され、これにより装着者は汗によるべたつきを感じにくくなっている。
さらに本実施例の汗ジミ防止パッド４は、腕部側、すなわち衣服１の外部に露出する部分も吸水加工の施された疎水層Ｆａによって構成されているため、汗ジミ防止パッド４に吸収された汗が衣服１の外部に露出した疎水層Ｆａにおいて汗ジミとして視認しにくくなっている。
特に、上記疎水層Ｆａの編組織をメッシュ状とすることで、疎水層Ｆａの汗は当該疎水層Ｆａの表面に露出しにくくなるため、より効果的に外部からの視認を困難とすることができる。
【００１７】
【表１】
0003207935.tif 000003
【００１８】
上記表１は、上記本考案にかかる汗ジミ防止パッド４としての考案品１、２と、比較対象としての比較品１、２について行った実験結果を示すものとなっている。
考案品１は、編地Ｆとして疎水層Ｆａにはポリエステル１００％からなる５０ｄ／７２ｆのフィラメント糸を、吸水層Ｆｂには綿１００％からなる５０／１紡績糸を用い、また疎水層Ｆａの編組織をメッシュ状に、吸水層Ｆｂの編組織を天竺編にし、さらに得られた編地Ｆに吸水加工を施した。この時の混率は綿／ポリエステル＝６５／３５であり、目付は１３０．０ｇ／ｍ２であった。
考案品２は、編地Ｆとして疎水層Ｆａにポリエステル１００％からなる５０／１紡績糸を、吸水層Ｆｂに再生セルロース１００％からなる５０／１紡績糸を用い、また疎水層Ｆａの編組織をメッシュ状に、吸水層Ｆｂの編組織を天竺編にし、さらに得られた編地Ｆに吸水加工を施した。この時の目付は１４０．０ｇ／ｍ２であった。
比較品１は、編地Ｆとして綿１００％のからなる５０／１紡績糸を天竺編にした単層のものを用い、この時の目付は１５０．０ｇ／ｍ２であった。
比較品２は、編地Ｆとして疎水層Ｆａにポリエステルからなる５０／１紡績糸を、吸水層Ｆｂに綿１００％からなる５０／１紡績糸を用い、また疎水層Ｆａの編組織をメッシュ状に、吸水層Ｆｂの編組織を天竺編にしたものを用い、さらに得られた編地Ｆに撥水加工を施した。この時の混率は綿／ポリエステル＝６５／３５であり、目付は１３０．０ｇ／ｍ２であった。
【００１９】
実験では、本考案にかかる汗ジミ防止パッド４に用いた編地Ｆとしての考案品１、考案品２と、一般的な衣服１に用いられる比較品１、比較品２について、吸水性、拡散性残留水分率、シミによる変色の有無について実験を行った。
吸水性は、ＪＩＳ  Ｌ  １９０７滴下法に基づいて実験を行い、試験片としての編地Ｆを保持枠に取り付け、編地Ｆに対して高さ１０ｍｍより約０．０４ｍｌの水を滴下し、水滴が編地Ｆに到達してから水の鏡面反射が完全になくなるまでの時間を測定した。その際、考案品１、２については編地Ｆの疎水層Ｆａ側に滴下を行った。
拡散性残留水分率は、上記吸水性の試験と結果と組み合わせて、編地Ｆの吸水速乾性の評価を行うものであり、ここでは１００ｍｍ×１００ｍｍの生地の質量を測定することによって行った。
まず編地Ｆに水を０．６ｍｌ滴下し、その直後の質量を測定したら、室温２０℃、湿度６５％の環境下で吊り干しして質量を測定しつつ、残留水分量が滴下直後に対して１０％まで減少するまでの時間を測定した。その際、考案品１、２については編地Ｆの疎水層Ｆａ側に滴下を行った。
またシミによる変色の有無は目視にて行い、白色の編地Ｆに水滴を０．６ｍｌ垂らし、１分後に編地Ｆに形成された当該水滴によるシミが目視できるかについて判定を行った。その際、考案品１、２および比較品２については編地Ｆの疎水層Ｆａ側に滴下を行った。
【００２０】
表１に示す実験結果によれば、考案品１、２および比較品１については、吸水性については同等であった。しかし、比較例２については疎水層側に撥水加工を施しているため、編地表面に水滴のまま留まり吸水されなかった。
従って、考案品１、２および比較品１についてはこれらの編地Ｆを衣服１に用いた場合には同等の汗の吸収を行うものと考えられる。ただしこの吸水性の値だけでは、編地Ｆに生じたシミを視認できるか否かについては評価することができない。なお比較例２については、吸水されなかったことからシミにはならなかったが、汗の吸収も行うことができない。
また拡散性残留水分率については、考案品１、２が比較品１に対して良好な結果が得られ、吸収された汗が速やかに発散されたことが理解できる。これにより、編地にいつまでも汗がとどまることがなく、乾燥しやすくなることにより、吸汗速乾性能を示すことがわかる。しかし、比較例２は水が吸収されず編地表面に汗が留まり、ベタつくことから着用感が損なわれることとなる。
そしてシミによる変色については、考案品１、２についてはほとんどシミを視認することができなかったが、比較品１においては滴下した水滴によるシミがはっきりと視認され、比較例２においては疎水層側の撥水加工により編地表面に水滴のまま留まったため、シミは発生しなかった。従って、考案品１、２を汗ジミ防止パッド４として用いた場合には、汗によるシミが外部より視認しにくいという結果が得られるものと考えられる。
【００２１】
図４は第２実施例にかかる衣服１を示し、いわゆるキャミソールと呼ばれる衣服１となっている。本実施例の衣服１は、前身頃部２および後身頃部３と、肩部を構成する肩紐１１とを有し、上記肩紐１１によって襟ぐり部１Ａと脇ぐり部１Ｂとを形成するようになっている。
本実施例の衣服１も、上記第１実施例と同様上記脇ぐり部１Ｂに汗ジミ防止パッド４を備えており、疎水層Ｆａが外側を向くように編地Ｆが重ね合わされた構成を有し、かつ少なくとも疎水層Ｆａについては吸水加工が施されている。
このような構成により、上記汗ジミ防止パッド４において脇の下で発生した汗を吸収するとともに、外部からの汗ジミの視認をしにくくすることができる。
【００２２】
図５は第３実施例にかかる衣服１を示し、いわゆるＴシャツと呼ばれる衣服１となっている。本実施例の衣服１は、前身頃部２および後身頃部３と、脇ぐり部１Ｂに装着された袖部１２とから構成され、本実施例における汗ジミ防止パッド４は上記脇ぐり部１Ｂから上記袖部１２にかけて設けられている。
本実施例の汗ジミ防止パッド４は、上記疎水層Ｆａおよび吸水層Ｆｂを有する略短冊状の２枚の編地Ｆを重ね合わせたものとなっており、上記実施例同様、上記疎水層Ｆａが外部に露出し、吸水層Ｆｂが内側に位置するとともに、少なくとも疎水層Ｆａについては吸水加工が施されている。
上記袖部１２と汗ジミ防止パッド４とはその下部に上記汗ジミ防止パッド４が位置するように筒状に縫い合わされた後、当該袖部１２の端部を上記脇ぐり部１Ｂに縫い合わせるようになっている。
また本実施例の汗ジミ防止パッド４は、第１、第２実施例のように前身頃部２および後身頃部３の内側に重複する重複部４ｃを有しておらず、汗ジミ防止パッド４の端部が前身頃部２および後身頃部３における脇ぐり部１Ｂの開口部に縫い合わされている。なお、第１、第２実施例のような重複部４ｃを設けてもよい。
【００２３】
本実施例のような構成を有する袖付きの衣服１を着用者が着用すると、図６に示すように上記汗ジミ防止パッド４は脇の下でさらに折り畳まれた状態で挟まれることとなる。
換言すると、上記第１、第２実施例のような袖のない衣類の場合、汗ジミ防止パッド４を構成する一枚の編地において、胴部側に露出した疎水層Ｆａと、腕部側に露出した疎水層Ｆａがそれぞれ装着者の肌に密着することとなる。
これに対し、袖部１２に汗ジミ防止パッド４を設けた本実施例の衣服１では、汗ジミ防止パッド４における袖部１２の内側に位置する疎水層Ｆａだけが装着者の胴部および腕部によって挟まれて密着し、外部に露出している編地Ｆの疎水層Ｆａは折り畳まれて密着した状態となる。
その結果、脇の下で発生した汗は上記肌側の編地Ｆにおける吸水加工の施された疎水層Ｆａで吸収された後、隣接する当該肌側の編地Ｆの吸水層Ｆｂに移動し、さらに透過して外側の編地Ｆの吸水層Ｆｂから疎水層Ｆａにも移動する場合がある。
この場合であっても、本実施例における汗ジミ防止パッド４によれば、上記外部に露出した側の編地Ｆの疎水層Ｆａの汗は再度吸水層Ｆｂ側に吸収されるため、当該汗が外部から視認しにくくなっており、しかも当該疎水層Ｆａの編組織はメッシュ状となっているため、外部からの汗ジミはより視認しにくくなっている。
なお、本実施例の衣服１はいわゆる半袖の衣服１となっているが、七分丈等の長袖の衣服１であっても上記汗ジミ防止パッド４を設けてもよい。この場合、上記汗ジミ防止パッド４を構成する編地Ｆを、腕に沿って袖口まで延長して設けることも可能であり、一方脇の下の部分に合わせて設けることも可能である。
【符号の説明】
【００２４】
１  衣服                      １Ｂ  脇ぐり部
２  前身頃部                  ３  後身頃部
４  汗ジミ防止パッド              Ｆ  編地
Ｆａ  疎水層                  Ｆｂ  吸水層
【図１】
0003207935.tif 000004
【図２】
0003207935.tif 000005
【図３】
0003207935.tif 000006
【図４】
0003207935.tif 000007
【図５】
0003207935.tif 000008
【図６】
0003207935.tif 000009